(57)【要約】【課題】  強度が高く、また雨水等の侵入を防ぎ郵便物も確実に保護する郵便受けとその製造方法を提供する。【解決手段】  金属板で作られ郵便物の出入口である開口部が設けられた本体１２と、本体１２の開口部の端縁部に形成され端縁部に沿って、連続して金属板の内側に折り返して重ねられた折返部１４と、折返部１４の先端部が本体１２の内側へ向かって細い円筒状にカールされた丸め部１６が設けられている。本体１２は、本体１２の開口部の端部が円筒の軸方向の両端部に位置するように略半円筒状に湾曲されている。蓋部材２０，２８と、本体１２の開口部端面の間に、雨やホコリの侵入を防ぐパッキン２９が設けられている。【選択図】        図１
2005066105.tif 000002
【特許請求の範囲】
【請求項１】
金属板で作られ郵便物の出入口である開口部が設けられた本体と、上記本体の上記開口部の端部に形成され上記端部に連続して金属板の内側に折り返して重ねられた折返部と、折返部の先端部が本体内側へ向かって細い円筒状にカールされた丸め部が設けられていることを特徴とする郵便受け。
【請求項２】
上記本体は、上記本体の開口部の端部が軸方向の両端部に位置する略半円筒状に湾曲されていることを特徴とする請求項１記載の郵便受け。
【請求項３】
金属板の両端部を、端縁に沿って細い円筒状にカールさせて丸め部を形成し、上記丸め部よりも所定長さ内側を折罫線として上記丸め部の折り曲げ方向と逆方向に折り返し金属板に重なる折返部を形成し、上記金属板を、上記丸め部と上記折返片が設けられた端部が軸方向の両端部に位置する略半円筒状に曲げて、本体を形成することを特徴とする郵便受けの製造方法。
【発明の詳細な説明】
【技術分野】
【０００１】
この発明は、家庭の敷地内の地面に立設する略ドーム形の郵便受けとその製造方法に関する。
【背景技術】
【０００２】
郵便受け箱には、種々の形状があり、例えばアメリカンポスト型と呼ばれるものがある。このアメリカンポスト型の郵便受けは、家庭の敷地内の地面に支柱が立設され、この支柱の上に略半円筒形の箱体が載せられている。この箱体には、半円筒形の本体と、本体に組み付けられた板状の底面が設けられている。本体の、円筒の軸方向の両端部は略半円形の開口部となり、一方の開口部は郵便配達人が郵便物を入れる投入口となり、他方の開口部は受取人が郵便物を取り出す取出口が設けられている。また、投入口と取出口を閉鎖する蓋部材はいろいろな種類があり、例えば、本体の開口部を閉鎖する蓋部材が、ヒンジ部材を介して開閉自在に設けられたものがある。このような蓋部材の外側面には、開閉するときに掴む取っ手が設けられている。蓋部材の、ヒンジ部材と反対側の側縁部には、本体との係合を行う係合部材が設けられている。
【０００３】
【特許文献１】特開平９−２５２９２１号公報
【発明の開示】
【発明が解決しようとする課題】
【０００４】
しかしながら、このようなアメリカンポスト型の郵便受けは、家屋から独立して設けられ雨や風にさらされるため、蓋部材と本体の間のわずかな隙間から雨が進入して郵便物が濡れることがある。
【０００５】
この発明は上記従来の問題点に鑑みてなされたものであり、強度が高く、また雨水等の侵入を防ぎ、郵便物も確実に保護することができる郵便受けとその製造方法を提供することを目的とする。
【課題を解決するための手段】
【０００６】
本発明は、金属板で作られ郵便物の出入口である開口部が設けられた本体と、上記本体の上記開口部の端縁部に形成され上記端縁部に沿って、連続して金属板の内側に折り返して重ねられた折返部と、折返部の先端部が本体内側へ向かって細い円筒状にカールされた丸め部が設けられている郵便受けである。
【０００７】
また、上記本体は、上記本体の開口部の端部が円筒の軸方向の両端部に位置するように半円筒状に湾曲されている。蓋部材と、本体の開口部端面の間には、雨やホコリの侵入を防ぐパッキンが設けられていてもよい。
【０００８】
またこの発明は、金属板の両端部を、端縁に沿って細い円筒状にカールさせて丸め部を形成し、上記丸め部よりも所定長さ内側を折罫線として上記丸め部の折り曲げ方向と逆方向に折り返し金属板に重なる折返部を形成し、上記金属板を、上記丸め部と上記折返片が設けられた端部が円筒の軸方向の両端部に位置する半円筒状に曲げて、本体を形成する郵便受けの製造方法である。
【発明の効果】
【０００９】
本発明の郵便受けとその製造方法は、簡単な工程で作られる構造で高い強度を有し、また、雨の侵入を防いで郵便物を確実に保護することができる。
【発明を実施するための最良の形態】
【００１０】
以下、この発明の一実施形態について図面に基づいて説明する。図１〜図３はこの発明の一実施形態を示すものであり、この実施形態の郵便受け１０は、略半円筒形に曲げられた金属板の本体１２を備えている。本体１２の、半円筒形の軸方向の一方の端部１２ａには、端部１２ａに連続する金属板の、一定幅の折返部１４が、本体１２内側に折り返して重ねられて設けられている。折返部１４の先端部１４ａには、本体１２の内側へ向かって細い円筒状にカールされた丸め部１６が設けられている。本体１２の端部１２aの、上方の中心部には、後述する蓋部材２０の係合部材２６を弾性的に係合、及び係合解除をする受け具２１が取り付けられている。
【００１１】
本体１２の、軸方向に平行な一対の側縁部１２ｂには、矩形の底板１８が連結されて取り付けられている。底板１８の、本体１２の側縁部１２ｂに接触する側縁部には、本体１２の丸め部１６に対向する部分に、丸め部１６をゆとりを有して嵌合する十分な大きさの切り欠き部が設けられている。
【００１２】
本体１２の端部１２aには、端部１２ａで囲まれた開口部を閉鎖する蓋部材２０が設けられている。蓋部材２０は、図２に示すように、上方が半円で下方が方形である。蓋部材２０の外側面２０ａには、上方寄りの位置に、開閉時に掴む取っ手２２が設けられている。蓋部材２０の下端部２０ｂは、図１に示すように本体１２の端部１２aの下端部付近または底板１８の端部１８ａに、ヒンジ部材２４を介して回転自在に取り付けられている。また、蓋部材２０の上方の中心部２０ｃには、本体１２の受け具２１に弾性的に差し込まれ係止される係合部材２６が設けられている。蓋部材２０は、本体１２端部１２aで囲まれた開口部よりわずかに大きく形成され、図３に示すように、蓋部材２０を開口部に閉じたときに、本体１２の端部１２aが差し込まれる溝部２７が形成されている。溝部２７の内側には、本体１２端部１２aが圧接し水密となるパッキン２９が設けられている。
【００１３】
本体１２の、軸方向の他方の端部１２ｃも、端部１２aと同様に、折返部１４と丸め部１６、受け具２１が形成されている。そして、蓋部材２０と同形の蓋部材２８が、ヒンジ部２４を介して開閉自在に取り付けられている。本体１２と底板１８、蓋部材２０，２８により、郵便物を収容する箱体が形成される。蓋部材２０，２８は、一方は配達人が郵便受け１０に郵便物を入れるときに使用し、他方が受取人が郵便物を取るときに使用する。
【００１４】
そして、家庭の敷地の玄関付近に、地面に図示しない支柱を立設し、支柱の先端に本体１２と底板１８、蓋部材２０，２８による箱体が、底板１８が水平となるように取り付けられている。
【００１５】
次に、この郵便受け１０の製造方法について説明する。本体１２用の平坦な金属板を所定形状にカットし、端部１２a，１２ｃに丸め部１６を形成する。丸め部１６は、郵便受け１０の金属板の表面側に形成する。次に丸め部１６より所定長さ内側を、金属板の裏面側に向けて折って折返部１４を形成する。この後、金属板を略半円筒形に湾曲させ、本体１２を形成する。そして、本体１２に、底板１８、蓋部材２０，２２を取り付ける。このようにして形成した郵便受け１０は、家庭の敷地内の地面に、支柱で立設される。
【００１６】
この実施形態の郵便受け１０によれば、簡単な工程により、本体１２の端部１２aに折返部１４と丸め部１６を形成し、開口部周縁部を補強することができるため、充分な強度を有し耐久性に優れている。また蓋部材２０が本体１２に閉じられるとき、蓋部材２０と、蓋部材２０が差し込まれる溝部２７の間にパッキン２９が設けられているが、何らかの理由でこの周辺から雨水が侵入しても、本体１２端部１２aの丸め部１６で遮られ、丸め部１６に沿って落下するため、内容物である郵便物がぬれたり汚れたりすることがない。丸め部１６に沿って落下する水滴は、底板１８に丸め部１６にゆとりを有して形成された切り欠き部から外側へ落下するため、底板１８に溜まることがない。
【００１７】
なおこの発明の郵便受けとその製造方法は、上記実施形態に限定されず、いろいろなデザインの郵便受けに応用することができる。
【図面の簡単な説明】
【００１８】
【図１】この発明の一実施形態の郵便受けの正面図である。
【図２】この実施形態の郵便受けの右側面図である。
【図３】この実施形態の郵便受けの折返部付近の拡大縦断面図である。
【図４】この実施形態の郵便受けの本体の正面図である。
【図５】この実施形態の郵便受けの折返部付近の拡大縦断面図である。
【符号の説明】
【００１９】
１０  郵便受け
１２  本体
１４  折返部
１６  丸め部
１８  底板
２０，２８  蓋部材
２１  受け具
２２  取っ手
２４  ヒンジ部材
２６  係合部材
２７  溝部
２９  パッキン
【図１】
2005066105.tif 000003
【図２】
2005066105.tif 000004
【図３】
2005066105.tif 000005
【図４】
2005066105.tif 000006
【図５】
2005066105.tif 000007